(57)【特許請求の範囲】
【請求項１】
背板と、支持部材とを有するフレームと、該フレームに設置され、底板と、複数の係合手段と、複数のアームとを有する収納部材とを有し、
前記背板は、細長状を呈し、両端上部近傍にそれぞれ穿設される掛け孔と、間隔をおいて穿設される複数の貫通孔とを備え、
前記支持部材は、細長状を呈し、前記フレームの側面に設置されると共に、前記背板の長手方向と同一の長さを有し、更に、上延設部と、下延設部と、前板部と、設置溝部と、複数の前部孔とを備え、その内、該上延設部は細長状を呈し、前記掛け孔の下側における、該背板の側面上部近傍に設けられ、該下延設部は細長状を呈し、該上延設部と平行するように、該上延設部の下側における、該背板の側面下部近傍に設けられ、該前板部は矩形を呈し、該上延設部と下延設部との間に設けられ、前記背板と反対する側に当接面が形成され、該設置溝部は、該上延設部と下延設部と前板部との間に形成され、該前部孔はそれぞれ、前記貫通孔と対応するように該前板部に穿設され、
前記底板は、前記設置溝部の形状と対応するように設置溝部に設置され、前記前板部の当接面と反対する側に形成される設置面と、前記前部孔と対応するように形成される複数の係合孔とを備え、
前記係合手段はそれぞれ、掛止部材をフレームに設置するために、前記前部孔及び係合孔を貫通するように係合され、
前記複数のアームはそれぞれ、間隔をおいて前記底板の設置面に設けられ、該各アームにおける、該底板と反対する端に、上側へ延出する止め部を備えることを特徴とする手工具用ホルダ。
【請求項２】
前記上延設部は、前記底板の設置面に当接するものであり、その末端から前記下延設部へ向かうように延設される上リブを有し、
前記下延設部は、その末端から前記上延設部へ向かうように延設される下リブを有し、前記底板の設置面に当接することを特徴とする請求項１に記載の手工具用ホルダ。
【請求項３】
前記各アームは、管状部と、棒体部と、係合部とを有し、その内、該管状部は、底板の設置面に設けられ、該棒体部は、アームの管状部に挿設され、該係合部は、断面方形を呈し、該アームの管状部及び底板に囲まれるように、該棒体部の一端に設けられ、、
前記止め部は、該棒体部の他端から上方へ延設されることを特徴とする請求項１又は２に記載の手工具用ホルダ。
【発明の詳細な説明】
【技術分野】
【０００１】
本発明は、特に複数の部品の組み立てを容易にすることにより、作業時間を節約した手工具用ホルダに関するものである。
【背景技術】
【０００２】
従来の手工具用ホルダは、フレームと、複数の収納部材とを有し、その内、該フレームの側面にレールが形成され、該複数の収納部材はそれぞれ、摺動可能に該レールに設置され、また、該各収納部材には、レンチを収納するために、側面にアームが延設される。
【発明の概要】
【発明が解決しようとする課題】
【０００３】
しかしながら、従来の手工具用ホルダにおける複数の収納部材は、一つ一つフレームのレールに装着しなければならないため、作業に時間がかかるという問題があった。
【課題を解決するための手段】
【０００４】
本発明の請求項１は、背板と、支持部材とを有するフレームと、前記フレームに設置され、底板と、複数の係合手段と、複数のアームとを有する収納部材とを有し、
前記背板は、細長状を呈し、両端上部近傍にそれぞれ穿設される掛け孔と、間隔をおいて穿設される複数の貫通孔とを備え、
前記支持部材は、細長状を呈し、前記フレームの側面に設置されると共に、前記背板の長手方向と同一の長さを有し、更に、上延設部と、下延設部と、前板部と、設置溝部と、複数の前部孔とを備え、その内、該上延設部は細長状を呈し、前記掛け孔の下側における、該背板の側面上部近傍に設けられ、該下延設部は細長状を呈し、該上延設部と平行するように、該上延設部の下側における、該背板の側面下部近傍に設けられ、該前板部は矩形を呈し、該上延設部と下延設部との間に設けられ、前記背板と反対する側に当接面が形成され、該設置溝部は、該上延設部と下延設部と前板部との間に形成され、該前部孔はそれぞれ、前記貫通孔と対応するように、該前板部に穿設され、
前記底板は、前記設置溝部の形状と対応するように設置溝部に設置され、前記前板部の当接面と反対する側に形成される設置面と、前記前部孔と対応するように形成される複数の係合孔とを備え、
前記係合手段はそれぞれ、掛止部材をフレーム１０に設置するために、前記前部孔及び係合孔を貫通するように係合され、
前記複数のアームはそれぞれ、間隔をおいて前記底板の設置面に設けられ、該各アームにおける、該底板と反対する端に、上側へ延出する止め部を備えることを特徴とする手工具用ホルダを提供する。
【０００５】
本発明の請求項２は、前記上延設部は、前記底板の設置面に当接されるものであり、その末端から前記下延設部へ向かうように延設される上リブを有し、
前記下延設部は、その末端から前記上延設部へ向かうように延設される下リブを有し、前記底板の設置面に当接することを特徴とする請求項１に記載の手工具用ホルダを提供する。
【０００６】
本発明の請求項３は、前記各アームは、管状部と、棒体部と、係合部とを有し、その内、該管状部は、底板の設置面に設けられ、該棒体部は、アームの管状部に挿設され、該係合部は、断面方形を呈し、該アームの管状部及び底板に囲まれるように、棒体部の一端に設けられ、
前記止め部は、該棒体部の他端から上方へ延設されることを特徴とする請求項１又は２に記載の手工具用ホルダを提供する。
【発明の効果】
【０００７】
本発明に係る手工具用ホルダは、収納部材とフレームとを簡単に組み立てることができるので、組み立て時間を節約することができる。
【図面の簡単な説明】
【０００８】
【図１】本発明に係る手工具用ホルダの第一実施例の斜視図である。
【図２】本発明に係る手工具用ホルダの第一実施例の部分分解斜視図である。
【図３】本発明に係る手工具用ホルダの第一実施例の部分拡大分解斜視図である。
【図４】本発明に係る手工具用ホルダの第一実施例の部分拡大斜面図である。
【図５】本発明に係る手工具用ホルダの第一実施例の部分拡大側面断面図である。
【図６】本発明に係る手工具用ホルダの第一実施例において、複数のレンチがそれぞれアームに設置された状態を示す斜面図である。
【図７】本発明に係る手工具用ホルダの第二実施例の部分拡大分解斜面図である。
【図８】本発明に係る手工具用ホルダの第二実施例の部分拡大斜面図である。
【図９】本発明に係る手工具用ホルダの第二実施例の部分拡大側面断面図である。
【図１０】本発明に係る手工具用ホルダの第三実施例の斜視図である。
【図１１】本発明に係る手工具用ホルダの第三実施例の部分拡大断面図である。
【図１２】本発明に係る手工具用ホルダの第三実施例の部分拡大側面断面図である。
【発明を実施するための形態】
【０００９】
以下、添付図面を参照して本発明の適切な実施の形態を詳細に説明する。
【００１０】
図１、図３、図５に示すように、本発明に係る手工具用ホルダにおける第一実施例は、アルミ材料からなり、背板１１と、支持部材１２とを有するフレーム１０と、該フレーム１０に設置され、底板２１と、複数の係合手段２２と、複数のアーム２３とを有する掛止部材２０とを含む。
【００１１】
前記背板１１は、細長状を呈し、２つの掛け孔１１１と、複数の貫通孔１１２とを有する。該掛け孔１１１は、前記フレーム１０を壁や展示板などに掛けるために、それぞれ両端上部に近傍に穿設され、該複数の貫通孔１１２はそれぞれ、間隔をおいて穿設される。
【００１２】
前記支持部材１２は、細長状を呈し、前記フレーム１０の側面に設置されると共に、前記背板１１の長手方向と同一の長さを有し、上延設部１２１と、下延設部１２２と、前板部１２３と、設置溝部１２４と、複数の前部孔１２５とを有するものである。
【００１３】
前記上延設部１２１は細長状を呈し、前記掛け孔１１１の下側における、該背板１１の側面上部近傍に設けられ、前記下延設部１２２は細長状を呈し、該上延設部１２１と平行するように、該上延設部１２１の下側に位置すると共に、該背板１１の側面下部近傍に設けられる。
【００１４】
前記前板部１２３は矩形を呈し、前記上延設部１２１と下延設部１２２との間に設けられ、前記背板１１と反対する側に当接面が形成され、前記設置溝部１２４は、該上延設部１２１と下延設部１２２と前板部１２３との間に形成される。前記前部孔１２５はそれぞれ、前記貫通孔１１２と対応するように、該前板部１２３に穿設される。
【００１５】
図２、図４、図５に示すように、前記掛止部材２０における底板２１は、プラスチックからなり、設置溝部１２４の形状と対応するように設置溝部１２４に設置され、設置面と、複数の係合孔２１１とを有し、該設置面は、前板部１２３の当接面と反対する側に形成され、該複数の係合孔２１１は、前部孔１２５と対応するように該底板２１に穿設される。
【００１６】
前記係合手段２２はそれぞれ、前記掛止部材２０フレーム１０に設置するために、前記前部孔１２５及びに係合孔２１１を貫通するように係合されると共に、ボルトと、該ボルトに螺合されるナットとを備え、この構成によれば、該係合手段２２により掛止部材２０をフレーム１０に設置することができる。
【００１７】
前記複数のアーム２３はそれぞれ、間隔をおいて前記底板２１の設置面に一体に延設され、該各アーム２３における、該底板２１と反対する端に、止め部２３１が上側へ延設される。
【００１８】
尚、本発明に係る手工具用ホルダにおけるフレーム１０及び掛止部材２０は、適当な硬質の材料からなり、本明細書に掲示された材料に制限されるものではない。
【００１９】
図１、図５、図６に示すように、レンチ３０は、孔部３１を有し、その孔部３１を用いて掛止部材２０のアーム２３に引っ掛け、この時、該アーム２３の止め部２３１によって、レンチ３０の落下などを防ぐ。尚、実施例におけるフレーム１０はアルミからなり、強固な構造を備えるので、掛止部材２０によりレンチ３０をしっかりと保持することができる。
【００２０】
図７及び図９に示すように、本発明に係る手工具用ホルダにおける第二実施例は、その殆どが第一実施例と同一であるが、上延設部１２１Ａが上リブ１２６Ａを有する点において異なり、該上リブ１２６Ａは、該上延設部１２１Ａの末端から下延設部１２２Ａへ向かうように延設されると共に、前記底板２１Ａの設置面に当接されるものであり、一方、下延設部１２２Ａの末端からおける下リブ１２７Ａは、該末端から上延設部１２１Ａへ向かうように延設されると共に、前記底板２１Ａの設置面に当接されるものである。
【００２１】
上述したように、前記底板２１Ａは、上リブ１２６Ａ及び下リブ１２７Ａにより挟持されるように設置溝部１２４Ａにおいて摺動可能に設置されるので、該底板２１Ａの設置溝部１２４Ａからの脱落を防止することができる。
【００２２】
図１０乃至図１２に示すように、本発明に係る手工具用ホルダにおける第三実施例は、その殆どが第一実施例と同一であるが、各アーム２３Ｂが、管状部２３２Ｂと、棒体部２３３Ｂと、係合部２３４Ｂとを備える点において異なる。
【００２３】
前記管状部２３２Ｂは、底板２１Ｂの設置面に設けられ、前記棒体部２３３Ｂは、金属材料からなり、アーム２３Ｂの管状部２３２Ｂに挿設され、止め部２３１Ｂは、棒体部２３３Ｂの自由端から上方へ延設され、円柱状を呈しても構わない。また、前記係合部２３４Ｂは、断面方形を呈し、アーム２３Ｂの管状部２３２Ｂ及び底板２１Ｂに囲まれるように、棒体部２３３Ｂにおける、止め部２３１Ｂと反対する端に設けられ、その係合部２３４Ｂは、断面円形ではないので、該棒体部２３３Ｂと管状部２３２Ｂとの間の回転を防止することができる。
【００２４】
また、本発明によれば、前記掛止部材２０は複数のアーム２３、２３Ｂを有するので、複数のレンチ３０を引っ掛けて収納することができると共に、その複数のアーム２３、２３Ｂを有する掛止部材２０は、簡単に且つ迅速にフレーム１０に組み合わせることができるので、組立時間や製造コストを節約することができる。
【産業上の利用可能性】
【００２５】
上述したように、本発明に係る手工具用のホルダは上記の構成を有し、複数の部材の組み立てを容易に且つ速やかに行うことにより、作業時間を節約した手工具用ホルダを提供する。
【符号の説明】
【００２６】
１０                    フレーム
１１                    背板
１１１                  掛け孔
１１２                  貫通孔
１２                    支持部材
１２１、１２１Ａ        上延設部
１２２、１２２Ａ        下延設部
１２３                  前板部
１２４、１２４Ａ        設置溝部
１２５                  前部孔
１２６Ａ                上リブ
１２７Ａ                下リブ
２０                    掛止部材
２１、２１Ａ、２１Ｂ    底板
２１１                  係合孔
２２                    係合手段
２３、２３Ｂ            アーム
２３１、２３１Ｂ        止め部
２３２Ｂ                管状部
２３３Ｂ                棒体部
２３４Ｂ                係合部
３０                    レンチ
３１                    孔部
【図１】
0005412451.tif 000002
【図２】
0005412451.tif 000003
【図３】
0005412451.tif 000004
【図４】
0005412451.tif 000005
【図５】
0005412451.tif 000006
【図６】
0005412451.tif 000007
【図７】
0005412451.tif 000008
【図８】
0005412451.tif 000009
【図９】
0005412451.tif 000010
【図１０】
0005412451.tif 000011
【図１１】
0005412451.tif 000012
【図１２】
0005412451.tif 000013